(57)【特許請求の範囲】
【請求項１】
遊技場の島設備に据え置きとなる遊技機本体と、この遊技機本体に組み込まれる遊技盤を保持する保持枠とを備えた弾球遊技機において、
前記保持枠は、
前記遊技機本体の前面側に可倒する取っ手と、前記取っ手を起立状態となるように付勢する付勢手段とを備え、
前記遊技機本体は、
前記保持枠を前記遊技機本体の前面側に挿入する過程で前記取っ手と当接し、前記取っ手を可倒する方向に押圧する傾斜面と、前記保持枠が遊技機本体に組み込まれたときに前記傾斜面との当接が解除された取っ手と係合することで、前記保持枠が取り外される方向に該保持枠が移動することを規制する移動規制面とを有する突起部を備えたことを特徴とする弾球遊技機。
【請求項２】
前記遊技機本体には、前記突起部と係合する取っ手を可倒する方向に回動させることで前記突起部との係合を解除するとともに、前記突起部との係合を解除された取っ手を把持する切り欠き部を備えていることを特徴とする請求項１記載の弾球遊技機。
【発明の詳細な説明】
【技術分野】
【０００１】
本発明は、遊技場の島設備に設置される例えばパチンコ機等の弾球遊技機に関するものである。
【背景技術】
【０００２】
一般に、パチンコ店などの遊技場では、島設備と呼ばれる遊技機の集合用設備によって、複数の遊技機が整列して効率良く配設されている。この遊技場に配設される遊技機としては、パチンコ機や、スロットマシンが知られている。例えばパチンコ機を島設備に設置する場合、予め島設備には、パチンコ機本体を回動自在に保持するとともに、その内部に収納するための開口が形成された固定枠が固定されており、この固定枠を介してパチンコ機が島設備に設置される。
【０００３】
このような遊技場では、遊技者の興趣を惹くために、すでに設置されたパチンコ機から、新しい機種となるパチンコ機へと一定期間毎に交換している。新しい機種のパチンコ機への交換を行う場合、遊技場の島設備からパチンコ機の基本動作を行う箇所なども取り外すことになるので、新しい機種のパチンコ機への交換を行う場合には、遊技場の管理者が負担する費用が多くかかるという欠点がある。この欠点を解決する方法としては、例えば操作ハンドル、発射装置、払い出し装置等、パチンコ機の基本動作を行う部分は遊技場の島設備に据え置きにし、例えば遊技盤や前面扉等、新しい機種のコンセプトや仕様によって変化する部分を交換できるようにする、分離型のパチンコ機が考えられている。さらに、この分離型のパチンコ機の場合、この交換する部分（以下、交換部）を１つのユニットとして一体化することで、新しい機種への交換にかかる費用が低減される他、新しい機種への交換作業や、運搬作業を効率よく行えるようになる。
【０００４】
このような分離型のパチンコ機の場合、交換部は、構造物や制御回路装置等が組み付けられた遊技盤、前面扉、及び遊技盤や前面扉を保持するとともに、パチンコ機本体に組み込まれる保持枠を有しているため、ユニットとして一体化された場合には、その重量が重くなり、運搬作業時や、据え置きとなる部分に組み付ける際の作業を行う場合に、誤って遊技場の床面等に落下させてしまうという課題がある。この課題を解決する方法として、例えば保持枠に、作業者が把手する取っ手が設けられている（特許文献１）。
【特許文献１】特開２００５−１３７４１９号公報
【発明の開示】
【発明が解決しようとする課題】
【０００５】
ところで、最近のパチンコ機においては、遊技者の遊技への興趣を惹くために、遊技盤上に設けられる役物や、液晶表示装置の表示画面がより大型化されている傾向にある。これら役物や、液晶表示装置の表示画面を大型化するには、遊技領域を流下するパチンコ球の流下経路を確保する、或いは入賞チャッカーやアタッカ等の入賞装置の設置領域を確保する必要もあることから、遊技領域、つまり遊技盤を大型化する必要がある。これに合わせて、遊技盤を保持する保持枠も大型化する必要があるが、遊技場に設置するスペースは一定の大きさであり、また遊技場に据え置きとなる部分の大きさは変化しないことから、遊技盤や保持枠を大型化した場合には、保持枠に設けられる取っ手をパチンコ機に組み込むためのスペースがなくなるという問題がある。また、取っ手を使用するときの位置と、取っ手を使用しないときの位置との間で移動させることができるように保持枠に組み込んだ場合、取っ手をいずれか一方の位置まで移動させる必要があり、保持枠をパチンコ機本体に組み付ける、或いは取り外す際に手間がかかるという問題がある。
【０００６】
本発明は、上記従来技術の問題を解決するためになされたものであり、遊技盤や保持枠の大型化に影響を与えることなく、保持枠に取っ手を設けることができるようにすることを目的とする。
【課題を解決するための手段】
【０００７】
本発明の弾球遊技機は、遊技場の島設備に据え置きとなる遊技機本体と、この遊技機本体に組み込まれる遊技盤を保持する保持枠とを備えた弾球遊技機において、前記保持枠は、前記遊技機本体の前面側に可倒する取っ手と、前記取っ手を起立状態となるように付勢する付勢手段とを備え、前記遊技機本体は、前記保持枠を前記遊技機本体の前面側に挿入する過程で前記取っ手と当接し、前記取っ手を可倒する方向に押圧する傾斜面と、前記保持枠が遊技機本体に組み込まれたときに前記傾斜面との当接が解除された取っ手と係合することで、前記保持枠が取り外される方向に該保持枠が移動することを規制する移動規制面とを有する突起部を備えたことを特徴とする。
【０００８】
また、前記遊技機本体には、前記突起部と係合する取っ手を可倒する方向に回動させることで前記突起部との係合を解除するとともに、前記突起部との係合を解除された取っ手を把持する切り欠き部を備えていることを特徴とする。
【発明の効果】
【０００９】
本発明の弾球遊技機によれば、遊技場の島設備に据え置きとなる遊技機本体と、この遊技機本体に組み込まれる遊技盤を保持する保持枠とを備えた弾球遊技機において、前記保持枠は、前記遊技機本体の前面側に可倒する取っ手と、前記取っ手を起立状態となるように付勢する付勢手段とを備え、前記遊技機本体は、前記保持枠を前記遊技機本体の前面側に挿入する過程で前記取っ手と当接し、前記取っ手を可倒する方向に押圧する傾斜面と、前記保持枠が遊技機本体に組み込まれたときに前記傾斜面との当接が解除された取っ手と係合することで、前記保持枠が取り外される方向に該保持枠が移動することを規制する移動規制面とを有する突起部を備えたから、遊技盤や保持枠の大型化に影響を与えることなく、例えば保持枠に取っ手を設けることができるとともに、保持枠を遊技機本体に組み付けたときに取っ手が入り込むスペースを小さくすることができる。
【００１０】
また、前記遊技機本体には、前記突起部と係合する取っ手を可倒する方向に回動させることで前記突起部との係合を解除するとともに、前記突起部との係合を解除された取っ手を把持する切り欠き部を備えているから、保持枠を遊技機本体から取り外すときに誤って保持枠を遊技場の床面に落下させることを防止することができる。
【発明を実施するための最良の形態】
【００１１】
図１に示すように、パチンコ機（弾球遊技機）１０は、基体となる本体部材（遊技機本体）１１に、上部扉１２及び下部扉１３からなる２枚の前面扉１４が本体部材１１に対して回動自在となるように、図示しないヒンジ部を介して組み付けられる。上部扉１２の中央には開口１２ａが設けられており、この開口１２ａは上部扉１２の裏側に組み付けられるガラス１５等の透光性を有する部材により遮蔽される。上部扉１２が閉じている状態では、遊技領域１６に設けられたセンター役物１７等の構造物や、入賞チャッカー１８、始動チャッカー１９、及びアタッカ２０等の入賞装置は、上記開口１２ａを遮蔽するガラス１５を介して視認される。なお、図１中に示す符号２１は、パチンコ機１０をパチンコ店等の遊技場に固定するための固定枠である。
【００１２】
下部扉１３には、供給皿２５、操作ハンドル２６が設けられている。供給皿２５には、遊技を開始する際に遊技球が供給される他に、遊技領域１６を流下する遊技球が、遊技領域１６に設けられた入賞装置のいずれかに入賞したことを受けて払い出される賞球としての遊技球が受容される。操作ハンドル２６は遊技を行う際に操作され、この操作ハンドル２６の操作を受けて内部に設けられた打出し用ボリューム（図示せず）の出力値が変化することによって、発射装置（図示省略）による遊技球の打ち出し強さが変化する。なお、操作ハンドル２６を操作しない場合には、操作ハンドル２６は、発射装置における遊技球の打ち出しを行わない初期位置に位置する。なお、符号２７は払出し口であり、この払出し口２７を介して、賞球としての遊技球や、貸し球としての遊技球が払い出される。
【００１３】
図２に示すように、このパチンコ機１０は、パチンコ店等の遊技場に据え置きとなる据え置きユニット３０と、据え置きユニット３０に対して着脱自在となる交換ユニット３１とから構成されている。据え置きユニット３０は、上述した本体部材１１に下部扉１３が回動自在に組み付けられる。また、図示はしないが、本体部材１１には遊技球を遊技領域に打ち出す発射装置、遊技球の払い出しを行う払い出し装置、及び遊技中の演出音を再生するスピーカ等、パチンコ機の基本動作を行う装置等が組み付けられた構成からなる。この本体部材１１の上部には、交換ユニット３１が据え置きユニット３０の前面側から挿入された後に組み付けられる組み付け空間部１１ａが設けられている。この組み付け空間部１１ａに面する壁面３５には、溝３６が設けられている。この溝３６は、交換ユニット３１を据え置きユニット３０に組み付ける際に交換ユニット３１を構成する保持枠４８に設けられた突片５５が挿入される。
【００１４】
また、この本体部材１１の上部には、交換ユニット３１を構成する保持枠４８を本体部材１１に固定する固定装置４０が設けられている。この固定装置４０は、例えば操作つまみ４１，４２から構成されている。これら操作つまみ４１，４２は、所定の間隔を空けて設けられている。以下では、これら操作つまみ４１，４２の構成が同一であるので、ここでは、操作つまみ４１についてのみ説明する。操作つまみ４１は、保持枠４８を本体部材１１に組み付ける際に、保持枠１１の上部に設けられた開口５６に挿通され、操作つまみ４１の操作部４１ａを開口５６の中心を回転中心として回転させ脱不可状態とすることで、保持枠４８が操作つまみ４１の操作部４１ａと本体部材１１とによって挟持された状態で、保持される。
【００１５】
これら操作つまみ４１，４２の間には、係止片（突起部）４５が設けられている。図３に示すように、係止片４５は、後述する保持枠４８に設けられた取っ手６５と当接する傾斜面４５ａと、据え置きユニット３０に交換ユニット３１を組み付けたときに、取っ手６５の把手部６６と当接し、保持枠４８の移動を規制する移動規制面４５ｂとを備えている。
【００１６】
図２に示すように、交換ユニット３１は、上述した上部扉１２、遊技盤ユニット４７及び保持枠４８とから構成されている。遊技盤ユニット４７は、詳細は記載しないが、上部扉１２に対面する面にガイドレール４９が組み付けられることで遊技領域１６が設けられ、その遊技領域１６の内部に、上述したセンター役物１７、入賞チャッカー１８、始動チャッカー１９、アタッカ２０などの入賞装置が組み付けられている。また、上部扉１２と対峙する面とは反対側の面には、液晶表示装置５０や、この液晶表示装置５０を表示制御する表示制御装置、及びパチンコ機における遊技制御を行う遊技制御装置などが組み付けられている。なお、上述した液晶表示装置５０の表示画面５０ａは、センター役物１７の略中央に設けられた開口を介して露呈されている。
【００１７】
保持枠４８には、図２中左側部に設けられたヒンジ部（図示せず）を介して上部扉１２が回動自在に組み付けられる他、遊技盤ユニット４７が組み付けられる。この保持枠４８の下面には、上述した本体部材１１の組み付け空間部１１ａに面する壁面３５に設けられた溝３６に挿入される突片５５を備えている。また、保持枠４８の上端縁部には、上述した操作つまみ４１，４２がそれぞれ挿通される開口５６，５７が設けられている。図４に示すように、これら開口５６，５７の間であって、保持枠４８の上面４８ａには、軸受け片６０，６１が所定の間隔を空けて設けられている。これら軸受け片６０，６１を介して、取っ手６５が回動自在に組み付けられる。これら軸受け片６０，６１の略中央には、挿通孔６０ａ，６１ａが設けられている。また、これら軸受け片６０，６１には、この軸受け片６０，６１と直交するように、ストッパ６０ｂ，６１ｂがそれぞれ設けられている。
【００１８】
図２、或いは図４に示すように、取っ手６５は、コ字状から構成されている。この取っ手６５は、把手片６６と、把手片６６の両端部から同一方向に延設された回動片６７，６８とから構成されている。これら回動片６７，６８の先端部には挿通孔６７ａ，６８ａがそれぞれ設けられている。また、これら回動片６７，６８の先端部には、後述する巻きバネ７２，７３がそれぞれ収納される収納部６７ｂ，６８ｂが設けられている。
【００１９】
ピン７０は、軸受け片６０，６１に取っ手６５を組み付けるために設けられている。このピン７０は、その一端に、ピン本体７０ａの直径よりも大きい径からなるストッパ部７０ｂが設けられている。また、その他端側には、雌ねじ部７０ｃが設けられている。このピン７０は、雌ねじ部７０ｃが設けられた一端側を、軸受け片６０に設けられた挿通孔６０ａに挿通した後、取っ手６５の回動片６７に設けられた挿通孔６７ａに挿通させる。その後、雌ねじ部７０ｃにネジ７１を螺合させることで、このピン７０を回動中心として回動片６７が軸受け片６０に回動自在に保持される。同様にして、取っ手６５の回動片６８と軸受け片６１とが回動自在に保持される。
【００２０】
上述したように、巻きバネ（付勢手段）７２は、回動片６７の先端部に設けられた収納部６７ｂに収納される。この巻きバネ７２の一端７２ａは、回動片６７に設けられた収納部６７ｂの側壁面７４に当接され、その他端７２ｂが保持枠４８の上面４８ａに当接される。これにより、巻きバネ７２によって回動片６７は図６中Ｅ方向に付勢される。同様に、巻きバネ（付勢手段）７３は、回動片６８の先端部に設けられた収納部６８ｂに収納される。この巻きバネ７３の一端７３ａは、回動片６８に設けられた収納部６８ｂの側壁面７５に当接され、その他端が保持枠４８の上面４８ａに当接される。これにより、巻きバネ７３によって回動片６８は、回動片６７と同一方向に付勢される。なお、これら回動片６７，６８は図６中Ｅ方向に付勢されるが、軸受け片６０，６１に設けられたストッパ６０ｂ、６１ｂにそれぞれ当接されることで、取っ手６５が起立状態で保持される。
【００２１】
次に、このような構成の交換ユニット３１を据え置きユニット３０に組み付ける際の手順について説明する。なお、取っ手６５の回動片６７と、回動片６８との動作が同一であるため、以下では、回動片６７についてのみ説明し、回動片６８に付いては省略する。上述した取っ手６５が組み付けられた保持枠４８に、遊技盤ユニット４７、上部扉１２をそれぞれ組み付けることで、交換ユニット３１が組み立てられる。この交換ユニット３１が組み立てられた際には、取っ手６５は、回動片６７，６８に設けられた収納部６７ｂ，６８ｂに収納された巻きバネ７２，７３による付勢により、起立位置に保持されている。作業者は、取っ手６５の把手部６６を握ることにより、交換ユニット３１を運搬する。そして、例えば遊技場の島設備に設置された据え置きユニット３０に交換ユニット３１を組み付ける。
【００２２】
図５に示すように、保持枠４８の下部に設けられた突片５５を本体部材１１の組み付け空間部１１ａに面する壁面３５に設けられた溝３６に（図５中Ｃ方向に）挿入する。その後、交換ユニット３１の上端側を据え置きユニット３０に向けて（図６中Ｄ方向に）押圧する。図７に示すように、交換ユニットの３１の上端側を図６中Ｄ方向に押圧すると、据え置きユニット３０に設けられた係止片４５の稜線４５ｃに回動片６７の側面６７ｄが当接し、取っ手６５が巻きバネ７２の付勢に抗して図７中Ｆ方向に回動する。そして、係止片４５の傾斜面４５ａと、図７中Ｆ方向に回動する回動片６７の側面６７ｄとが当接する。このときも、交換ユニット３１の上端部を押圧しているので、係止片４５の稜線４５ｄに当接され、回動片の側面６７ｄが係止片４５の稜線４５ｄに摺接しながら、取っ手６７がさらに図７中Ｆ方向に回動する。さらに交換ユニット３１の上端部を本体部材１１に向けて押圧すると、本体部材１１の操作つまみ４１，４２が保持枠４８の開口５６，５７にそれぞれ挿通され、保持枠４８が本体部材１１の組み付け空間部１１ａに仮固定された状態となる。
【００２３】
このとき、係止片４５の稜線４５ｄと、回動片６７の側面６７ｄとの摺接が解除され、巻きバネ７２の図６中Ｅ方向への復帰力によって、取っ手６５が図８中Ｇ方向に回動する。この回動によって把手部６６の稜線６６ａが本体部材１１の上壁面１１ｂに当接することで、取っ手６５の図８中Ｇ方向への回動が停止される。なお、交換ユニット３１の自重で、交換ユニット３１の上端部が本体部材１１の前面側に（図８中Ｈ方向に）倒れ込むことになるが、取っ手６５の把手部６６（詳細には把手部６６の稜線６６ｂ）が、係止片４５の移動規制面４５ｂに当接され、交換ユニット３１の倒れ込みが防止される。これにより、交換ユニット３１が据え置きユニット３０に仮固定された状態で保持される。その後、作業者は操作つまみ４１，４２の操作部４１ａ，４２ａを脱不可状態まで回動させる。これにより、保持枠４８が本体部材１１に固定される、つまり、交換ユニット３１が据え置きユニット３０に固定される。
【００２４】
これにより、保持枠４８の仮固定を取っ手６５を用いて行うことができるので、新たに保持枠４８の仮固定を行う装置を組み込む必要がない。また、保持枠４８を本体部材１１に固定する際には、取っ手６５が起立状態から所定の角度傾斜した状態で保持されることにより、例えば遊技盤や保持枠４８を大型化する、つまり、遊技領域１６を拡大させることができる。
【００２５】
なお、このような交換ユニット３１を据え置きユニット３０から取り外す場合は、操作つまみ４１，４２による固定を解除した後に、取っ手６５を可倒する方向に押し下げながら、交換ユニット３１をその下端部を回動中心にして図８中Ｈ方向に回動させる。その後、取っ手６５の把手部６６を掴んで、交換ユニット３１を運搬する。
【００２６】
本実施形態では、保持枠の下端部に設けられた突片を、本体部材の組み付け空間部に面する壁面に設けられた溝に挿入した後に、保持枠の上端部を本体部材に向けて押圧する形態としたが、これに限定する必要はなく、例えば、交換ユニットを本体部材にヒンジを用いて、交換ユニットの一端部を回動中心となるように組み付け、その回動中心となる一端部とは反対側の端部に本発明の取っ手を設けることも可能である。
【００２７】
本実施形態では、取り外す際に、取っ手を掴みづらい形態であるため、取っ手を押し下げる、或いは取っ手を掴みやすいように、本体部材に切り欠き部を設けることも可能である。図９に示すように、傾斜面８１ａと移動防止面８１ｂとを備えた係止部８１を、少なくとも取っ手８２の長さＬよりも長い幅で本体部材８０の上部に形成する。また、本体部材８０の上部に、図９中Ｍ方向に延びる切り欠き部８３，８４を取っ手８２の長さＬよりも狭い間隔Ｎを空けて設ける。これら切り欠き部８３，８４の幅Ｏは、少なくとも指１本が入る幅からなる。これによれば、保持枠８５を本体部材８０に組み付ける際に、取っ手８２が本体部材８０の面に引っ掛かることがなく、容易に保持枠８５を収納することができる。また、保持枠８５を本体部材８０から取り外すときには、切り欠き部８３，８４に指を差し込んで取っ手８２を押し下げた後、保持枠８５を前方に引き出す。このとき、取っ手を掴むことで、保持枠８５を持つことができるので、保持枠を遊技場の床面等に落下させることがない。また、図示はしないが、保持枠８５に回動自在に組み付けられる扉によって切り欠き部８３，８４を被覆することで、切り欠き部８３，８４から例えば針金等の異物の挿入を行うことが防止できる。また、仮に、切り欠き部８３，８４から針金等の異物を挿入したとしても、保持枠８５が本体部材８０に対して当接された状態で組み付いているので、パチンコ機の裏側へ侵入させることを防止することができる。
【００２８】
なお、本体部材に設けられる切り欠き部は、上記に限定されるものではなく、例えば取っ手の長さよりも短い幅の切り欠き部であればよい。図１０に示すように、本体部材９０の上面９０ａに取っ手の長さＬよりも短い幅Ｐからなる切り欠き部９１を設ける。この切り欠き部９１の奥行きの長さは、保持枠９２が本体部材９０に組み付けられたときに、収納される取っ手９３と切り欠き部９１の奥端部９１ｂとの間隔Ｑが、少なくとも指１本が入る隙間を有するように設けられている。また、本体部材９０の上面９０ａの前縁側であって、切り欠き部９１を間に置いた左右の箇所に、傾斜面９４ａと移動防止面９４ｂとを備えた係止部９４を設ける。また、本体部材９０の下面９０ｂに、本体部材９０の前後方向に延び、取っ手９３の位置を規制する規制片９５，９６を左右２カ所に設ける。なお、これら規制片９５，９６の間隔Ｒは、取っ手９１の長さＬと同一、或いは取っ手９１の長さＬよりもやや長くなるように設けられる。これによれば、保持枠９２を本体部材９０に組み付ける場合には、取っ手９１が規制片９５，９６の間に沿って挿入されることになるから、保持枠９２の位置決めとして規制片９５，９６を使用することができる。また、保持枠９２を本体部材９０から取り外す際には、取っ手９３と、切り欠き部９１の奥端部９１ｂとの間に生じる隙間Ｑが指１本が入る隙間を有しているから、取っ手９３を掴んで引き出し易くなるので、保持枠９２を本体部材９０から容易に取り外すことができ、誤って遊技場の床面に保持枠を落下させることを防止することができる。
【図面の簡単な説明】
【００２９】
【図１】パチンコ機の構成を示す斜視図である。
【図２】パチンコ機を据え置きユニットと交換ユニットとに分解した状態を示す斜視図である。
【図３】図２中に示す領域Ａを拡大して示す斜視図である。
【図４】保持枠の組み付けられる取っ手近傍の構成を分解して示す斜視図である。
【図５】交換ユニットを据え置きユニットに組み付ける際の交換ユニットの下端部近傍を示す断面図である。
【図６】交換ユニットを据え置きユニットに組み付ける際の交換ユニットの上端部近傍を示す断面図である。
【図７】取っ手が、本体部材の係止片に当接した状態を示す断面図である。
【図８】交換ユニットが据え置きユニットに仮固定された状態を示す断面図である。
【図９】本体部材の上部に切り欠き部を設けた場合の一例を示す斜視図である。
【図１０】切り欠き部近傍の構成の一例を示す斜視図である。
【符号の説明】
【００３０】
２  パチンコ機（遊技機）
１１  本体部材（遊技機本体）
４５  係止片（突起部）
４５ａ  傾斜面
４５ｂ  移動規制面
４８  保持枠
６５，８２，９３  取っ手
７２，７３  巻きバネ（付勢手段）
８３，８４，９１  切り欠き部
【図１】
0004589244.tif 000002
【図２】
0004589244.tif 000003
【図３】
0004589244.tif 000004
【図４】
0004589244.tif 000005
【図５】
0004589244.tif 000006
【図６】
0004589244.tif 000007
【図７】
0004589244.tif 000008
【図８】
0004589244.tif 000009
【図９】
0004589244.tif 000010
【図１０】
0004589244.tif 000011